(57)【特許請求の範囲】
【請求項１】
ダクトの対向する２つの壁面に夫々貫通形成された第一取付穴と第二取付穴に跨って挿通されて支持されたガス流量計を、その一端部から前記第一取付穴を経由してダクト外部へ引き抜く際に、前記第二取付穴内にダクト外から挿着されて前記ガス流量計の他端部を支持するガイド部材であって、
前記ガイド部材は、前記第二取付穴から前記ダクト内部に延びて先端開口内に前記ガス流量計の他端部を挿通するガイドパイプを備えていることを特徴とするガイド部材。
【請求項２】
前記ガス流量計の他端部に固定したガイドワイヤを備え、
前記ガイドパイプは、後端部に固定したフランジ部を有すると共に、該フランジ部には前記ガイドパイプ内と連通する孔を備え、
前記ガイドワイヤを前記ガイドパイプ内を経由して前記孔から前記ダクト外へ引き出したことを特徴とする請求項１に記載のガイド部材。
【請求項３】
前記ガイドパイプの先端部に、内径がテーパー状に拡開するテーパー部を備えていることを特徴とする請求項１又は２に記載のガイド部材。
【請求項４】
請求項１乃至３の何れか一項に記載のガイド部材を用いたガス流量計の引き抜き方法であって、
前記ガイドパイプを、前記第二取付穴から前記ダクト内部に挿入して、前記先端開口内に前記ガス流量計の他端部を挿通するガイドパイプ挿通工程と、
前記ガイドパイプ挿通工程にて前記先端開口内に挿通されたガス流量計を、その一端部から前記第一取付穴を経由してダクト外部へ引き抜くガス流量計引き抜き工程と、を有することを特徴とするガス流量計の引き抜き方法。
【請求項５】
ダクトの対向する２つの壁面に夫々貫通形成された第一取付穴と第二取付穴に跨って挿通されて支持されたガス流量計を、その一端部から前記第一取付穴を経由してダクト外部へ引き抜く際に、前記第二取付穴内にダクト外から挿着されて前記ガス流量計の他端部を支持するガイド部材であって、
前記ガイド部材は、前記第二取付穴から前記ダクト内部に延びて先端部を前記ガス流量計の他端部に固定するガイドロッドを備えていることを特徴とするガイド部材。
【請求項６】
請求項５に記載のガイド部材を用いたガス流量計の引き抜き方法であって、
前記ガイドロッドを前記第二取付穴から前記ダクト内部に挿入して、前記先端部に前記ガス流量計の他端部を固定するガイドロッド固定工程と、
前記ガイドロッド固定工程にて前記先端部に固定されたガス流量計を、その一端部から前記第一取付穴を経由してダクト外部へ引き抜くガス流量計引き抜き工程と、を有することを特徴とするガス流量計の引き抜き方法。
【発明の詳細な説明】
【技術分野】
【０００１】
本発明は、火力発電所の垂直煙道等、気体が流れるダクトの対向する２つの壁面に夫々貫通形成された二つの取付穴に跨がって挿通支持されたガス流量計を、その一端部から一方の取付穴を経由してダクト外部に引き抜く際に使用される、ガス流量計のガイド部材及びこれを用いたガス流量計の引き抜き方法に関する。
【背景技術】
【０００２】
火力発電所においては、化石燃料等を燃焼させる際に発生した排ガスの流速や流量を測定するため、排ガスが流れるダクトの中間部にガス流量計が設置されている。排ガス流量の測定には、長尺、管状のガス流量計（多孔式ピトー管／バーフローチューブ）が用いられる。
ここで、簡単に多孔式ピトー管について説明する。多孔式ピトー管は、気体の全圧を測定する全圧管と、気体の静圧を測定する静圧管とを有している。全圧管には複数の全圧測定孔が、静圧管には複数の静圧測定孔が形成されている。多孔式ピトー管の軸方向一端部には、全圧管から全圧を取り出す全圧取り出し口と、静圧管から静圧を取り出す静圧取り出し口とを備えている。全圧取り出し口と静圧取り出し口には圧力計が取り付けられ、検出された全圧と静圧から、ベルヌーイの定理に基づいて気体の流速及び流量を求める。
ここで、多孔式ピトー管の全圧測定孔と静圧測定孔は、火力発電所の排ガス中に含まれる塵埃により目詰まりを起こすことがある。各測定孔が目詰まりを起こすと正確な流速及び流量を測定できなくなるため、定期的に測定孔の点検・清掃をする必要がある。
【０００３】
ここで、従来のガス流量計の測定孔の点検・清掃方法について説明する。図１０は、火力発電所に設置された排煙脱硫装置の概略構成図である。
排煙脱硫装置２００は、排ガス中の硫黄酸化物（ＳＯｘ）を除去する脱硫塔２０１と、排ガスを脱硫塔２０１内に導入する入口ダクト２０３と、脱硫塔２０１にて脱硫処理された排ガスを排出する出口ダクト２０５と、を備えている。
ガス流量計１２０は、脱硫塔２０１の上流側に設置された入口ダクト２０３の内部に設置され、脱硫塔２０１に流入する排ガスの流量を測定している。図示する入口ダクト２０１は垂直方向に伸びる煙道であり、その大きさは、水平方向断面が例えば２．５ｍ×５．０ｍ、全高は１５ｍを超える規模である。
【０００４】
従来においては、火力発電所の運転を停止した後、入口ダクト２０１内にその最下端からガス流量計１２０に至る作業用足場を仮設して、ガス流量計１２０の測定孔を直接点検、清掃していた。そのため、火力発電所の長期停止により多額の損失が発生する上に、作業用足場の仮設及び撤去に多額の費用がかかるなど、コスト面での負担が大きかった。さらに、作業員が狭く暗いダクト内での危険な作業を強いられるという問題もあった。
上記問題を解決するために、ガス流量計をダクト外に引き抜いて点検・清掃することが考えられる。
特許文献１には、ガス流量計を吊り下げて、上方から配管ダクト内に取り付ける方法について記載されている。この文献に記載された取り付け方法の逆の手順を踏めば、ガス流量計をダクト外に引き抜くことが可能である。
【先行技術文献】
【特許文献】
【０００５】
【特許文献１】特開平１１−２３６０５号公報
【発明の概要】
【発明が解決しようとする課題】
【０００６】
しかしながら特許文献１の発明においては、ガス流量計の引き抜きにクレーンのような大がかりな装置が必要である。
また、軸方向が水平方向となるように取り付けられたガス流量計に、特許文献１に記載された方法を適用することはできない。さらに、ガス流量計は数十ｋｇと大変な重量物であるため、水平方向にそのまま引き抜こうとするとダクト内でバランスを崩す虞があるという問題がある。
本発明は上述の事情に鑑みてなされたものであり、大がかりな装置を必要とせず、ダクト内でのバランスを保持しながらガス流量計をダクト外部に容易に引き抜くことを可能とするガス流量計引き抜き用のガイド部材と、このガイド部材を用いたガス流量計の引き抜き方法を提供することを目的とする。
【課題を解決するための手段】
【０００７】
上記の課題を解決するために、請求項１に記載の発明は、ダクトの対向する２つの壁面に夫々貫通形成された第一取付穴と第二取付穴に跨って挿通されて支持されたガス流量計を、その一端部から前記第一取付穴を経由してダクト外部へ引き抜く際に、前記第二取付穴内にダクト外から挿着されて前記ガス流量計の他端部を支持するガイド部材であって、前記ガイド部材は、前記第二取付穴から前記ダクト内部に延びて先端開口内に前記ガス流量計の他端部を挿通するガイドパイプを備えていることを特徴とする。
請求項１の発明では、ガス流量計の引き抜き時に、引き抜き側のダクト壁面に対向するダクト壁面に形成された第二取付穴からガイドパイプを挿通し、先端開口からガイドパイプ内にガス流量計の他端部を挿入して支持することにより、ガス流量計がダクト内でバランスを崩さないようにする。
請求項２に記載の発明は、請求項１において、前記ガス流量計の他端部に固定したガイドワイヤを備え、前記ガイドパイプは、後端部に固定したフランジ部を有すると共に、該フランジ部には前記ガイドパイプ内と連通する孔を備え、前記ガイドワイヤを前記ガイドパイプ内を経由して前記孔から前記ダクト外へ引き出したことを特徴とする。
請求項２の発明では、ガイドワイヤがガス流量計の他端部に固定されフランジ部の孔からダクト外へ引き出された状態を維持したまま、ガス流量計を一端部からダクト外に引き抜く。ガス流量計の点検、清掃が終了した後、ガイドワイヤを引きながらガス流量計をダクト内に挿入すると、ガス流量計の他端がガイドパイプの先端開口に案内されるので、ガス流量計の取り付けが容易となる。
【０００８】
請求項３に記載の発明は、請求項１又は２において、前記ガイドパイプの先端部に、内径がテーパー状に拡開するテーパー部を備えていることを特徴とする。
請求項３の発明では、テーパー部を有することにより、ガス流量計の他端をガイドパイプ内に導き入れやすくなる。
請求項４に記載の発明は、請求項１乃至３の何れか一項に記載のガイド部材を用いたガス流量計の引き抜き方法であって、前記ガイドパイプを、前記第二取付穴から前記ダクト内部に挿入して、前記先端開口内に前記ガス流量計の他端部を挿通するガイドパイプ挿通工程と、前記ガイドパイプ挿通工程にて前記先端開口内に挿通されたガス流量計を、その一端部から前記第一取付穴を経由してダクト外部へ引き抜くガス流量計引き抜き工程と、を有することを特徴とする。
請求項４の発明では、請求項１乃至３の何れか一項と同様の効果を奏する。
【０００９】
請求項５に記載の発明は、ダクトの対向する２つの壁面に夫々貫通形成された第一取付穴と第二取付穴に跨って挿通されて支持されたガス流量計を、その一端部から前記第一取付穴を経由してダクト外部へ引き抜く際に、前記第二取付穴内にダクト外から挿着されて前記ガス流量計の他端部を支持するガイド部材であって、前記ガイド部材は、前記第二取付穴から前記ダクト内部に延びて先端部を前記ガス流量計の他端部に固定するガイドロッドを備えていることを特徴とする。
請求項６に記載の発明は、請求項５に記載のガイド部材を用いたガス流量計の引き抜き方法であって、前記ガイドロッドを前記第二取付穴から前記ダクト内部に挿入して、前記先端部に前記ガス流量計の他端部を固定するガイドロッド固定工程と、前記ガイドロッド固定工程にて前記先端部に固定されたガス流量計を、その一端部から前記第一取付穴を経由してダクト外部へ引き抜くガス流量計引き抜き工程と、を有することを特徴とする。
請求項５、６の発明では、ガス流量計の引き抜き時に、引き抜き側のダクト壁面に対向するダクト壁面に形成された第二取付穴からガイドロッドを挿通し、その先端部にガス流量計の他端部を固定することにより、ガス流量計がダクト内でバランスを崩さないように支持する。
【発明の効果】
【００１０】
本発明によれば、ガイド部材又はガイドパイプによりガス流量計の他端部を支持しながらダクト外に引き抜くようにしたので、大がかりな装置を必要とせず、ダクト内でのバランスを保持しながらガス流量計をダクト外部に容易に引き抜くことができる。
【図面の簡単な説明】
【００１１】
【図１】ガス流量計の取り付け状態を示す概略断面図である。
【図２】本発明の第一の実施形態に係るガイド部材の使用状態を示す概略断面図である。
【図３】（ａ）（ｂ）は、ガイド部材の変形実施形態を示す断面図である。
【図４】本発明の第二の実施形態に係るガイド部材の使用状態を示す概略断面図である。
【図５】本発明の第二の実施形態に係るガイド部材の使用状態を示す概略断面図である。
【図６】本発明の第三の実施形態に係るガイド部材の使用状態を示す概略断面図である。
【図７】本発明の第三の実施形態に係るガイド部材の使用状態を示す概略断面図である。
【図８】本発明の第四の実施形態に係るガイド部材の使用状態を示す概略断面図である。
【図９】本発明の第四の実施形態に係るガイド部材の使用状態を示す概略断面図である。
【図１０】火力発電所に設置された排煙脱硫装置の概略構成図である。
【発明を実施するための形態】
【００１２】
本発明の各実施形態を説明する前に、ガス流量計のダクトへの取り付け状態について図１に基づいて説明する。図１は、ガス流量計の取り付け状態を示す概略断面図である。なお、図１は、図１０に示す排煙脱硫装置２００の入口ダクト２０３を矢印Ａ側から観察した図に相当する。
【００１３】
ダクト１００は、対向する２つの壁面１０１ａ、１０１ｂに夫々貫通形成された第一取付穴１０３ａと第二取付穴１０３ｂとを備えている。第一取付穴１０３ａには、壁面１０１ａからダクト１００の外部に突出するとともに、第一取付穴１０３ａを介してダクト１００内部と連通するマウントパイプ１０５ａと、マウントパイプ１０５ａの端縁に固定されるとともにマウントパイプ１０５ａの中空部内と連通する連通孔１０７ａを備えたメイティングフランジ１０９ａと、を備えている。
第二取付穴１０３ｂ側の構造は第一取付穴１０３ａ側と同様であるため、その説明を省略する。
図示するガス流量計１２０は、長尺、管状の多孔式ピトー管（バーフローチューブ）であり、ダクト１００の第一取付穴１０３ａと第二取付穴１０３ｂとに跨がって挿通され、軸方向一端部側がメイティングフランジ１０９ａ及びマウントパイプ１０５ａを介して第一取付穴１０３ａに固定、支持されており、軸方向他端部側がメイティングフランジ１０９ｂ及びマウントパイプ１０５ｂを介して第二取付穴１０３ｂに固定、支持されている。
ガス流量計１２０は、軸方向他端部に気体の圧力を測定するセンサ部１２１を備えている。軸方向一端部には、センサ部１２１にて測定された圧力を取り出す圧力取り出し口１２３と、ガス流量計１２０をメイティングフランジ１０９ａに固定するセンサフランジ１２５と、を備えている。また軸方向他端には、ガス流量計１２０をダクト１００の壁面１０１ｂ側に固定するための、雌ネジ部１２６を備えている。
【００１４】
センサ部１２１は、ダクト１００の壁面１０１ａと壁面１０１ｂの間（第一取付穴１０３ａと第二取付穴１０３ｂとの間）に配置されている。センサ部１２１内には、気体の全圧を測定する全圧管（不図示）と、気体の静圧を測定する静圧管（不図示）が収容されている。全圧管には複数の全圧測定孔１２７が形成され、静圧管には複数の静圧測定孔１２９が形成されている。全圧測定孔１２７はガス流の上流側（図中下方）に配置され、静圧測定孔１２９はガス流の下流側（図中上方）に配置されている。
圧力取り出し口１２３は、全圧管から全圧を取り出す全圧取り出し口と、静圧管から静圧を取り出す静圧取り出し口とを備えている。全圧取り出し口と静圧取り出し口に圧力計を取り付けることにより、計測された全圧と静圧から、ベルヌーイの定理に基づいて気体の流速及び流量を求めることができる。
センサフランジ１２５は、ガス流量計１２０の一端部側をダクト１００に固定する部位であり、センサフランジ１２５とメイティングフランジ１０９ａとをボルト及びナットにて締結することにより固定する。また、マウントパイプ１０５ａとガス流量計１２０の軸部との間に形成された隙間にはスペーサ１３１が取り付けられ、ガス流量計１２０のガタツキを防止する。
ガス流量計１２０の他端部側は、取付部材１４０を用いてダクト１００に固定されている。
【００１５】
取付部材について説明する。ダクト１００の第二取付穴１０３ｂ側には、ガス流量計１２０の他端部側をダクト１００に固定する取付部材１４０が配置されている。取付部材１４０は、マウントパイプ１０５ｂ内に挿入されるとともにガス流量計１２０の他端部が挿通される中空筒状のマウントサポート１４１と、マウントサポート１４１の後端に固定されてメイティングフランジ１０９ｂを閉止する閉止フランジ１４３と、を備えている。
ガス流量計１２０の他端は、閉止フランジ１４３に貫通形成された孔に挿通されるとともに雌ネジ部１２６に螺着される固定ボルト１４５と、固定ナット１４７と、を用いて閉止フランジ１４３に締結、固定される。閉止フランジ１４３から後端に突出した固定ボルト１４５及び固定ナット１４７は、キャップ１４９にて被覆される。
【００１６】
上述のように取り付けられているガス流量計１２０を、ダクト１００から引き抜く際には、まずガス流量計１２０の一端部側において、センサフランジ１２５をメイティングフランジ１０９ａに締結しているボルト及びナットを取り外す作業が必要である。また、ガス流量計１２０の他端部側において、取付部材１４０を取り外す作業が必要である。具体的には、閉止フランジ１４３をメイティングフランジ１０９ｂに締結しているボルト及びナットを取り外し、キャップ１４９を取り外し、ガス流量計１２０の他端を閉止フランジ１４３に締結している固定ボルト１４５及び固定ナット１４７を取り外す必要がある。
以上のような作業の後、本発明の各実施形態に従ってガス流量計１２０をダクト１００から引き抜く作業を行う。以下、各実施形態について詳細に説明する。
【００１７】
〔第一の実施形態〕
本発明の第一の実施形態に係るガイド部材及びこれを用いたガス流量計の引き抜き方法について図２に基づいて説明する。図２は、本発明の第一の実施形態に係るガイド部材の使用状態を示す概略断面図である。本発明においては、第二取付穴から挿入したガイド部材によりガス流量計を支持しながら、ガス流量計を第一取付穴から引き抜く点に特徴がある。
ガイド部材１０は、第二取付穴１０３ｂからダクト１００内部に延びて先端開口１１内にガス流量計１２０の他端部を挿通するガイドパイプ１３と、ガイドパイプ１３の後端部に固定されたフランジ部１５と、を備えている。
ガイドパイプ１３は、ガス流量計１２０を支持可能な硬質の部材から構成され、外径がメイティングフランジ１０９ｂの連通孔１０７ｂよりも小さく、内径がガス流量計１２０の他端の外径よりも大きい長尺状のパイプである。ガイドパイプ１３は連通孔１０７ｂからからダクト１００内に挿入される。ガイドパイプ１３の軸方向長は、フランジ部１５がメイティングフランジ１０９ｂに当接するまでガイドパイプ１３をダクト１００内に挿入したときに、先端部が第一取付穴１０３ａに支持される長さに設定されている。
なお、ガイドパイプ１３の軸方向長は、少なくともガス流量計１２０の重心が第一取付穴１０３ａよりもダクト１００の内部にあるときに、ガス流量計１２０の他端部を支持可能な長さに設定する（図４参照）。このように設定することで、ガス流量計１２０がダクト１００内部にてバランスを崩すことを防止する。ガイドパイプ１３の先端開口１１部分は、内径が先端に向けて拡開するテーパー形状となっている。
フランジ部１５は、ダクト１００の壁面１０１ｂに形成されてダクト１００内部と連通する孔（図ではメイティングフランジ１０９ｂの連通孔１０７ｂ）よりも大径であり、ガイド部材１０がダクト１００内に落下することを防止する。
【００１８】
ガイド部材１０の使用法について説明する。
まず、ガス流量計１２０をメイティングフランジ１０９に固定するための各ボルト及びナットと、取付部材１４０を取り外す。
ガイド部材１０を連通孔１０７ｂからダクト１００内に挿入し、先端開口１１からガイドパイプ１３の内部にガス流量計１２０の他端部を挿通する。フランジ部１５がメイティングフランジ１０９ｂと当接するまで挿入すると、ガイドパイプ１３の先端部が第一取付穴１０３ａに支持される。同時に、ガス流量計１２０の他端側がガイドパイプ１３にて支持される。この状態で、ガス流量計１２０を第一取付穴１０３ａからダクト１００外部（矢印Ｂ方向）に引き抜く。
ガス流量計１２０はガイドパイプ１３に支持されているので、ダクト１００に取り付けられた略水平の姿勢を保持したまま、バランスを崩すことなくダクト１００外部に引き抜くことができる。
ガス流量計１２０の取り付けは、引き抜きと逆の手順にて行えばよい。
【００１９】
ここで、ガイド部材の変形実施形態について説明する。図３（ａ）、（ｂ）は、ガイド部材１０の変形実施形態を示す断面図である。
（ａ）に示すガイド部材２０は、ガイドパイプ２１が軸方向に分割された複数の分割パイプ２２から構成されている。また、各分割パイプ２２は互いに着脱自在である。図には、雄ネジと雌ネジとを有する連結部２３により２つの分割パイプ２２を連結する例を示している。このように、ガイドパイプ２１を複数の分割パイプ２２から構成し、互いに着脱自在とすることで、ガイド部材２０の収納時にコンパクト化することができる。また、各分割パイプを入れ子式に構成して、多段状に伸縮自在としてもよい。
（ｂ）に示すガイド部材２５は、ガイドパイプ２６の先端に、その径寸法がテーパー状に拡開するテーパー部２７を備えている。テーパー部２７を有することで、一旦ダクト１００から引き抜いたガス流量計１２０を再度ダクト１００に取り付けるときに、ガス流量計１２０の他端をガイドパイプ１３内に導き入れやすくなる。
【００２０】
以上のように、本実施形態によれば、ガス流量計をダクトの一方の取付穴（第一取付穴）から引き抜く際に、他方の取付穴（第二取付穴）からガイド部材を挿入してガス流量計の他端部を支持するようにしたので、ダクトに略水平に取り付けられたガス流量計のバランスを保持しながら、ガス流量計をダクト外部に容易に引き抜くことができる。
【００２１】
〔第二の実施形態〕
本発明の第二の実施形態に係るガイド部材及びこれを用いたガス流量計の引き抜き方法について図４及び図５に基づいて説明する。図４及び図５は、本発明の第二の実施形態に係るガイド部材の使用状態を示す概略断面図である。本実施形態においては、ガス流量計の他端部をガイドパイプにて支持するとともに、ガス流量計の他端にガイドワイヤを固定した状態にて、ダクトから引き抜く点に特徴がある。以下、第一の実施形態と同一の部材には同一の符号を付してその説明を省略する。
【００２２】
ガイド部材３０は、後端にワイヤ取付リング３１を備え、ガス流量計１２０の他端に形成された雌ネジ部１２６と螺着するガイドボルト３３と、ワイヤ取付リング３１に取り付けられたガイドワイヤ３５と、を備えている。また、ガイド部材３０のフランジ部１５には、ガイドパイプ１３内と連通する連通孔３７を備えている。
ガス流量計１２０の他端には、ガイドボルト３３とワイヤ取付リング３１とを介してガイドワイヤ３５が固定される。ガイドボルト３３は、ガイドパイプ１３内を経由して連通孔３７から外部（フランジ部１５の後端側）に突出している。ガイドボルト３３の後端に設けられたワイヤ取付リング３１には、ガイドワイヤ３５が固定されている。
なお、ガイドボルト３３の長さは任意に変更可能である。少なくとも、ガイドボルト３３を介してガス流量計１２０の他端に固定されたガイドワイヤ３５が、ガイドパイプ１３内を経由して連通孔３７からダクト１００外へ引き出さるようになっていればよい。
また、ガイドパイプ１３の軸方向長は、少なくともガス流量計１２０の重心が第一取付穴１０３ａよりもダクト１００内部にあるときに、ガイドパイプ１３の先端側にてガス流量計１２０の他端部を支持可能な長さに設定されている。
なお、図３に示すガイドパイプを本実施形態に係るガイド部材に適用してもよい。
【００２３】
ガイド部材３０の使用法について説明する。
まず、ガス流量計１２０をメイティングフランジ１０９に固定するための各ボルト及びナットと、取付部材１４０を取り外す。
ガイド部材３０を連通孔１０７ｂからダクト１００内に挿入し、先端開口１１からガイドパイプ１３の内部にガス流量計１２０の他端部を挿通する。ガイドワイヤ３５が取り付けられたガイドボルト３３を、連通孔３７からガイドパイプ１３内に挿入し、ガス流量計１２０の雌ネジ部１２６に螺着、固定する。
そして、他端にガイドワイヤ３５が固定された状態でガス流量計１２０を第一取付穴１０３ａからダクト１００外部（矢印Ｂ方向）に引き抜く。
ガス流量計１２０の重心が少なくとも第一取付穴１０３ａよりもダクト１００の内側にあるとき、ガス流量計１２０はガイドパイプ１３の先端側にて支持される。従って、ガス流量計１２０がダクト１００に取り付けられているときの略水平な姿勢を保持したままバランスを崩すことなく、ガス流量計１２０をダクト１００外部に引き抜くことができる。
なお、引き抜いた後も、ガイドワイヤ３５はガス流量計１２０の他端に固定した状態としておく。
【００２４】
引き抜いたガス流量計１２０を再度ダクト１００に取り付ける際には、ガス流量計１２０を他端部側から第一取付穴１０３ａに挿入する。このとき、ガイドパイプ１３内を経由して連通孔３７からダクト１００外部に引き出されているガイドワイヤ３５を、ガス流量計１２０取付方向（図５中、矢印Ｃ方向）に引っ張ることで、ガス流量計１２０の他端が先端開口１１からガイドパイプ１３内に案内される。センサフランジ１２５がメイティングフランジ１０９ａに当接した後、取り付けと逆の手順でガイド部材３０を撤去し、取付部材１４０（図１参照）と各ボルト及びナットを用いて、ガス流量計１２０をダクト１００に固定する。
【００２５】
以上のように、本実施形態によれば、ガス流量計の引き抜き時に、その後端にガイドワイヤを固定し、ガイドパイプを経由してガイド部材の後端に貫通形成された連通孔からダクト外部に引き出したので、ガス流量計の取り付け時に、ガス流量計の後端部を容易にガイドパイプの先端開口に案内することができる。また、ガス流量計の重心が第一取付穴よりもダクト内部側にあるときに、ガス流量計の他端部をガイドパイプにて支持できるようにガイドパイプの軸方向長を設定したので、ガス流量計の引き抜き及び取り付け時に、ガス流量計がダクト内でバランスを崩すことを防止することができる。また、ガイドパイプの軸方向長を短くしたので、ガイド部材を全体として軽量化することができる。
なお、ガイド部材に関し、ガイドパイプを省略してガイドワイヤのみの構成としてもよい。この場合、ガス流量計の引き抜き時には、ガイドワイヤを矢印Ｃ方向（図５参照）に引っ張って緊張状態を保ちながら、ガス流量計のバランスを保持する必要がある。また、ガス流量計の取り付け時には、ガス流量計を引き抜き方向（矢印Ｂ方向、図４参照）に引っ張ってガス流量計のバランスを保持しながら、ガイドワイヤを矢印Ｃ方向に引っ張る必要がある。
【００２６】
〔第三の実施形態〕
本発明の第三の実施形態に係るガイド部材及びこれを用いたガス流量計の引き抜き方法について図６及び図７に基づいて説明する。図６及び図７は、本発明の第三の実施形態に係るガイド部材の使用状態を示す概略断面図である。本実施形態に係るガイド部材は、ガス流量計の他端に固定される長尺・硬質のガイドロッドを備え、ガス流量計を引き抜く際にガイドロッドごと引き抜き方向に移動させる点に特徴がある。以下、第一及び第二の実施形態と同一の部材には同一の符号を付してその説明を省略する。
【００２７】
ガイド部材４０は、第二取付穴１０３ｂからダクト１００内部に延びるとともに、ガス流量計１２０の他端部を固定する固定部材４１を先端部に備えたガイドロッド４３と、ガイドロッド４３の後端部に固定されたフランジ部１５と、を備えている。
ガイドロッド４３は長尺、硬質の部材であり、その軸方向長は、フランジ部１５がメイティングフランジ１０９ｂに当接するまでガイドロッド４３をダクト１００内に挿入したときに、先端部（固定部材４１側）が第一取付穴１０３ａに支持される長さに設定されている。また、ガイドロッド４３は中空筒状であり、軽量化が図られている。
なお、本実施形態においても、図３（ａ）に示すガイドパイプ２１のように、ガイドロッドを軸方向に分割された複数の分割ロッドから構成してもよい。この場合、ガス流量計１２０の引き抜き作業中に順次分割ロッドを連結し、ガイドロッドを延長していくことで、ガイドロッドが連通孔１０７ｂからダクト外部に突出する長さを短縮化することができる。
固定部材４１は、ガス流量計１２０の他端に形成された雌ネジ部１２６と螺着する固定ネジ（雄ネジ）から構成されている。
【００２８】
ガイド部材４０の使用法について説明する。
まず、ガス流量計１２０をメイティングフランジ１０９に固定するための各ボルト及びナットと、取付部材１４０を取り外す。
ガイド部材４０を連通孔１０７ｂからダクト１００内に挿入し、固定部材４１によりガス流量計１２０の他端をガイドロッド４３の先端に固定する。
ガス流量計１２０を第一取付穴１０３ａからダクト１００外部（矢印Ｂ方向）に引き抜く。このとき、ガス流量計１２０とガイドロッド４３とが固定されているので、ガス流量計の移動に合わせて、ガイド部材４０も矢印Ｂ方向に移動する。
フランジ部１５がメイティングフランジ１０９ｂと当接するまでガイド部材４０を挿入すると、ガイドロッド４３の先端部は、第一取付穴１０３ａに支持された状態となる。この状態にて、ガス流量計１２０又はガイド部材４０を回転させて、ガス流量計１２０をガイド部材４０から分離すればよい。
ガス流量計１２０は、ガイドロッド４３に支持されているので、ダクト１００に取り付けられた略水平な姿勢を保持したまま、バランスを崩すことなくダクト１００外部に引き抜くことができる。なお、ガス流量計１２０の取り付けは、引き抜きと逆の手順にて行えばよい。
【００２９】
以上のように、本実施形態によれば、ガス流量計をダクトの一方の取付穴（第一取付穴）から引き抜く際に、他方の取付穴（第二取付穴）からガイド部材を挿入してガス流量計の他端部に固定したので、ガス流量計が軸方向に略水平に取り付けられている場合であっても、ダクト内におけるガス流量計のバランスを保持しながら、ガス流量計をダクト外部に容易に引き抜くことができる。
【００３０】
〔第四の実施形態〕
本発明の第四の実施形態に係るガイド部材及びこれを用いたガス流量計の引き抜き方法について図８及び図９に基づいて説明する。図８及び図９は、本発明の第四の実施形態に係るガイド部材の使用状態を示す概略断面図である。本実施形態に係るガイド部材は、ガス流量計の他端に固定される長尺・硬質のガイドロッドと、ガイドロッドの後端に固定されたガイドワイヤとを備えた点に特徴がある。以下、第一乃至第三の実施形態と同一の部材には同一の符号を付してその説明を省略する。
【００３１】
本実施形態に係るガイド部材５０のガイドロッド４３は長尺、硬質の部材であり、第三の実施形態と同様にガス流量計１２０の後端に固定部材４１により固定される。ガイドロッド４３の内部は中空状であり、軽量化が図られている。
ガイドロッド４３の軸方向長は、ガイドロッド４３ごとガス流量計１２０を矢印Ｂ方向に移動させたときに、ガイドロッド４３を含むガス流量計１２０の重心が、第一取付穴１０３ａ外部に出るまで、ガイドロッド４３の後端が第二取付穴１０３ｂに支持されるような長さに設定されている。ガイドロッド４３の後端部にはガイドワイヤ３５が固定されている。
なお、本実施形態においても、図３（ａ）に示すガイドパイプ２１のように、ガイドロッドを軸方向に分割された複数の分割ロッドから構成してもよい。
【００３２】
ガイド部材５０の使用法について説明する。
まず、ガス流量計１２０をメイティングフランジ１０９に固定するための各ボルト及びナットと、取付部材１４０を取り外す。
ガイド部材４０を連通孔１０７ｂからダクト１００内に挿入し、固定部材４１によりガス流量計１２０の他端をガイドロッド４３の先端に固定する。
ガス流量計１２０を第一取付穴１０３ａからダクト１００外部（矢印Ｂ方向）に引き抜く。このとき、ガス流量計１２０とガイドロッド４３とが固定されているので、ガス流量計の移動に合わせて、ガイド部材４０も矢印Ｂ方向に移動する。
ガイドロッド４３を含むガス流量計１２０の重心が第一取付穴１０３ａ外部に引き出されるまでは、ガイドロッド４３の後端が第二取付穴１０３ｂよりもメイティングフランジ１０９ｂ側に位置するので、ガス流量計１２０の姿勢が略水平に安定させた状態で、第一取付穴１０３ａから引き抜くことができる。さらに、矢印Ｂ方向へ引き出し、固定部材４１が連通孔１０７ａ外部に取り出された段階で、ガス流量計１２０をガイド部材５０から分離する。
また、ガス流量計１２０の取り付ける際には、ガス流量計１２０の他端にガイドロッド４３を固定し、ガイドワイヤ３５を矢印Ｃ方向に引っ張る。このとき、ガイドロッド４３の後端部はガイドワイヤ３５により第二取付穴１０３ｂ内に導かれるので、ガス流量計１２０の他端を容易に第二取付穴１０３ｂ内にセットすることができる。
【００３３】
以上のように、本実施形態によれば、ガス流量計をダクトの一方の取付穴（第一取付穴）から引き抜く際に、ガイドロッドを含むガス流量計の重心が第一取付穴の外部に引き出されるまで、ガイドロッドの後端が第二取付穴に支持されるようにガイドロッドの長さを設定したので、ガス流量計が軸方向に略水平に取り付けられている場合であっても、ダクト内におけるガス流量計のバランスを保持しながら、ガス流量計をダクト外部に引き抜くことができる。また、ガイドロッドの後端にガイドワイヤを固定したので、ガス流量計の取り付け時に容易に第二取付穴内にセットすることができる。
【符号の説明】
【００３４】
１０…ガイド部材、１１…先端開口、１３…ガイドパイプ、１５…フランジ部、２０…ガイド部材、２１…ガイドパイプ、２２…分割パイプ、２３…連結部、２５…ガイド部材、２６…ガイドパイプ、２７…テーパー部、３０…ガイド部材、３１…ワイヤ取付リング、３３…ガイドボルト、３５…ガイドワイヤ、３７…連通孔、４０…ガイド部材、４１…固定部材、４３…ガイドロッド、５０…ガイド部材、１００…ダクト、１０１ａ、１０１ｂ…壁面、１０３ａ…第一取付穴、１０３ｂ…第二取付穴、１０５ａ、１０５ｂ…マウントパイプ、１０７ａ、１０７ｂ…連通孔、１０９…メイティングフランジ、１２０…ガス流量計、１２１…センサ部、１２３…圧力取り出し口、１２５…センサフランジ、１２６…雌ネジ部、１２７…全圧測定孔、１２９…静圧測定孔、１３１…スペーサ、１４０…取付部材、１４１…マウントサポート、１４３…閉止フランジ、１４５…固定ボルト、１４７…固定ナット、１４９…キャップ、２００…排煙脱硫装置、２０１…脱硫塔、２０１…入口ダクト、２０３…入口ダクト、２０５…出口ダクト
【図１】
0005859860.tif 000002
【図２】
0005859860.tif 000003
【図３】
0005859860.tif 000004
【図４】
0005859860.tif 000005
【図５】
0005859860.tif 000006
【図６】
0005859860.tif 000007
【図７】
0005859860.tif 000008
【図８】
0005859860.tif 000009
【図９】
0005859860.tif 000010
【図１０】
0005859860.tif 000011